(57)【特許請求の範囲】
【請求項１】
荷を揚げる揚重機と、
前記揚重機を駆動する油圧アクチュエータと、
前記油圧アクチュエータに作動油を供給する油圧回路と、
前記油圧アクチュエータの駆動圧力を測定する圧力センサと、
制御装置と、を備え、
前記制御装置は、前記荷の重さを測定する荷重測定において、
前記油圧回路を制御して前記油圧アクチュエータに供給される作動油の流量を初期調整における流量と同一の所定流量とし、
前記揚重機を動作させた際の前記圧力センサの出力を荷重値に変換する
ことを特徴とする作業機の荷重測定装置。
【請求項２】
前記油圧回路は、
エンジンで駆動される油圧ポンプと、
前記油圧ポンプと前記油圧アクチュエータとを接続する油圧管路に設けられた流量制御弁と、を備え、
前記制御装置は、前記エンジンの回転数を所定回転数とし、前記流量制御弁のスプール開度を所定開度とすることで、前記油圧アクチュエータに供給される作動油の流量を前記所定流量とする
ことを特徴とする請求項１記載の作業機の荷重測定装置。
【請求項３】
前記制御装置と通信可能であり、表示部を有する遠隔操作端末を備え、
前記制御装置は、
前記遠隔操作端末から荷重測定指示を受信した場合に、
前記油圧回路を制御して前記油圧アクチュエータに供給される作動油の流量を前記所定流量とし、
前記揚重機を動作させた際の前記圧力センサの出力を荷重値に変換し、
前記荷重値を前記遠隔操作端末に送信し、
前記遠隔操作端末は、前記制御装置から受信した前記荷重値を前記表示部に表示する
ことを特徴とする請求項１または２記載の作業機の荷重測定装置。
【請求項４】
前記油圧アクチュエータは可変容量形の油圧モータであり、
前記制御手段は、
前記油圧モータの容量に対応した前記圧力センサのゲインを用いて、前記揚重機を動作させた際の前記圧力センサの出力を荷重値に変換する
ことを特徴とする請求項１、２または３記載の作業機の荷重測定装置。
【請求項５】
前記油圧アクチュエータは可変容量形の油圧モータであり、
前記制御手段は、
前記油圧回路を制御して前記油圧モータに供給される作動油の流量を前記所定流量とするとともに、前記油圧モータの容量を所定容量とし、
前記揚重機を動作させた際の前記圧力センサの出力を荷重値に変換する
ことを特徴とする請求項１、２または３記載の作業機の荷重測定装置。
【請求項６】
前記制御装置は、
前記圧力センサの出力の変化率が閾値以下となった場合に、前記油圧アクチュエータの動作を停止させる
ことを特徴とする請求項１、２、３、４または５記載の作業機の荷重測定装置。
【発明の詳細な説明】
【技術分野】
【０００１】
本発明は、作業機の荷重測定装置に関する。さらに詳しくは、例えば、クレーンに設けられ、吊り荷の重さを測定するための荷重測定装置に関する。
【背景技術】
【０００２】
特許文献１には、クレーンの荷重計測装置として、圧力計を用いたものが開示されている。クレーンの油圧回路には、エンジンにより駆動する油圧ポンプと、ウインチを作動させる油圧モータとが備えられており、それらは作動油の方向および流量を制御する制御弁を介して接続されている。この制御弁と油圧モータとを接続する油圧管路のうち、ウインチ巻き上げ側の油圧管路に圧力計が接続されており、その圧力計でウインチ巻き上げ作動圧を測定している。圧力計としてはブルドン管式圧力計等のアナログ式の圧力計が用いられ、圧力値を表示する目盛がウインチ巻き上げ作動圧と比例する荷重値の目盛に置き換えられている。これによって圧力計は荷重計としての機能を果たせるようになっている。
【先行技術文献】
【特許文献】
【０００３】
【特許文献１】特開平０９−２７８３７９号公報
【発明の概要】
【発明が解決しようとする課題】
【０００４】
ウインチ巻き上げ作動圧と荷重との比例関係は、特定の作動油流量の下で成り立つ。アイドリング時のエンジン回転数やＰＴＯ（パワーテイクオフ）装置の減速比は車両によって異なるほか、油圧回路を構成する油圧ポンプや制御弁には個体差がある。エンジンをアイドリングさせた状態では、油圧モータに供給される作動油の流量は車両によって異なる。そのため、エンジン回転数をアイドリング状態よりも高い状態として、車両によらず特定の作動油流量とする必要がある。
【０００５】
そのため、上記のような荷重計測装置では、荷重測定のたびに以下の操作が必要である。
（１）ゼロ点調整
まず、無負荷状態、すなわちフックに吊り荷を掛けない状態でウインチ巻き上げ操作を行う。この際、制御弁の操作レバーを巻き上げ側にいっぱいまで操作することで、制御弁のスプール開度を全開とする。つぎに、圧力計の指針が目盛の０を指すようにアクセルでエンジン回転数を調整することで、油圧ポンプの回転数を調整する。このように、制御弁のスプール開度を全開とするとともに、油圧ポンプの回転数を特定の回転数とすることで、油圧モータに供給される作動油の流量を特定の流量に調整するのである。
（２）荷重測定
つぎに、フックに吊り荷を掛け、ウインチ巻き上げ操作を行う。この際も、制御弁の操作レバーを巻き上げ側にいっぱいまで操作することで、制御弁のスプール開度を全開とする。そして、ウインチ巻き上げ中に圧力計を観察して、その指針が指す荷重値を読む。
【０００６】
このように、従来の荷重計測装置では、荷重測定のたびにゼロ点調整を行う必要がある等、操作手順が煩雑であるという問題がある。また、操作レバーを巻き上げ側いっぱいまで操作する必要があったり、ウインチ巻き上げ中の圧力計を観察する必要があったりと、注意点が多く、利便性が悪いという問題がある。
【０００７】
本発明は上記事情に鑑み、操作が簡単で、利便性の高い作業機の荷重測定装置を提供することを目的とする。
【課題を解決するための手段】
【０００８】
第１発明の作業機の荷重測定装置は、荷を揚げる揚重機と、前記揚重機を駆動する油圧アクチュエータと、前記油圧アクチュエータに作動油を供給する油圧回路と、前記油圧アクチュエータの駆動圧力を測定する圧力センサと、制御装置と、を備え、前記制御装置は、前記荷の重さを測定する荷重測定において、前記油圧回路を制御して前記油圧アクチュエータに供給される作動油の流量を初期調整における流量と同一の所定流量とし、前記揚重機を動作させた際の前記圧力センサの出力を荷重値に変換することを特徴とする。
第２発明の作業機の荷重測定装置は、第１発明において、前記油圧回路は、エンジンで駆動される油圧ポンプと、前記油圧ポンプと前記油圧アクチュエータとを接続する油圧管路に設けられた流量制御弁と、を備え、前記制御装置は、前記エンジンの回転数を所定回転数とし、前記流量制御弁のスプール開度を所定開度とすることで、前記油圧アクチュエータに供給される作動油の流量を前記所定流量とすることを特徴とする。
第３発明の作業機の荷重測定装置は、第１または第２発明において、前記制御装置と通信可能であり、表示部を有する遠隔操作端末を備え、前記制御装置は、前記遠隔操作端末から荷重測定指示を受信した場合に、前記油圧回路を制御して前記油圧アクチュエータに供給される作動油の流量を前記所定流量とし、前記揚重機を動作させた際の前記圧力センサの出力を荷重値に変換し、前記荷重値を前記遠隔操作端末に送信し、前記遠隔操作端末は、前記制御装置から受信した前記荷重値を前記表示部に表示することを特徴とする。
第４発明の作業機の荷重測定装置は、第１、第２または第３発明において、前記油圧アクチュエータは可変容量形の油圧モータであり、前記制御手段は、前記油圧モータの容量に対応した前記圧力センサのゲインを用いて、前記揚重機を動作させた際の前記圧力センサの出力を荷重値に変換することを特徴とする。
第５発明の作業機の荷重測定装置は、第１、第２または第３発明において、前記油圧アクチュエータは可変容量形の油圧モータであり、前記制御手段は、前記油圧回路を制御して前記油圧モータに供給される作動油の流量を前記所定流量とするとともに、前記油圧モータの容量を所定容量とし、前記揚重機を動作させた際の前記圧力センサの出力を荷重値に変換することを特徴とする。
第６発明の作業機の荷重測定装置は、第１、第２、第３、第４または第５発明において、前記制御装置は、前記圧力センサの出力の変化率が閾値以下となった場合に、前記油圧アクチュエータの動作を停止させることを特徴とする。
【発明の効果】
【０００９】
第１発明によれば、制御装置が油圧アクチュエータに供給される作動油の流量を自動的に所定流量とするので、ゼロ点調整や流量調整の操作が不要であり、利便性が高い。
第２発明によれば、制御装置がエンジンおよび流量制御弁を制御することで、油圧アクチュエータに供給される作動油の流量を所定流量とすることができる。
第３発明によれば、遠隔操作端末の操作により荷重測定ができるので操作が簡単である。また、遠隔操作端末に荷重値が表示されるので、荷重値を確認しやすい。
第４発明によれば、油圧モータの容量に対応した圧力センサのゲインを用いて、圧力センサの出力を荷重値に変換するので、油圧モータの設定によらず適切な荷重値を求めることができる。
第５発明によれば、油圧モータの容量を自動的に所定容量とするので、可変容量形の油圧モータであっても適切な荷重値を求めることができる。
第６発明によれば、荷重測定が終了したときに自動で揚重機が停止するので安全である。
【図面の簡単な説明】
【００１０】
【図１】遠隔操作端末および制御装置による荷重測定処理のフローチャートである。
【図２】積載形トラッククレーンの側面図である。
【図３】小型クレーンの油圧回路図である。
【発明を実施するための形態】
【００１１】
つぎに、本発明の実施形態を図面に基づき説明する。
〔第１実施形態〕
（積載形トラッククレーン）
本発明の第１実施形態に係る荷重測定装置は、積載形トラッククレーンＣＲに設けられる。まず、積載形トラッククレーンＣＲの構成について説明する。
図２に示すように、積載形トラッククレーンＣＲは、汎用トラック１０の運転室１１と荷台１２との間の車両フレーム１３に小型クレーン２０が搭載されたものである。
【００１２】
小型クレーン２０は、車両フレーム１３上に固定されたベース２１と、ベース２１に対して旋回可能に設けられたポスト２２と、ポスト２２の上端部に起伏可能に設けられたブーム２３とを備えている。ポスト２２にはウインチが内蔵されており、このウインチからワイヤロープをブーム２３の先端部に導いて、ブーム２３先端部の滑車を介してフック２４に掛け回すことにより、フック２４をブーム２３の先端部から吊り下げている。これらポスト２２、ブーム２３、フック２４等からクレーン装置が構成されている。また、小型クレーン２０は、ベース２１の左右両側に設けられたアウトリガ装置２５、２６を備えている。以下、クレーン装置（ポスト２２、ブーム２３、フック２４）とアウトリガ装置２５、２６をまとめて「作業装置」と称する。
【００１３】
これらの作業装置は後述の油圧回路により油圧駆動される。この油圧回路を操作するためのレバー群２７がベース２１の左右両側に設けられている。また、油圧回路を電気的に制御する制御装置２８がレバー群２７の近くに設けられている。
【００１４】
なお、フック２４を巻き上げ、巻き下げ操作するウインチが、特許請求の範囲に記載の「揚重機」に相当する。フック２４に吊り荷を掛けウインチを巻き上げ側に回転させることで、吊り荷を吊り揚げることができる。また、ウインチを巻き下げ側に回転させることで、吊り荷を降ろすことができる。
【００１５】
（油圧回路）
図３に示すように、小型クレーン２０の油圧回路３０は、主に、油圧バルブユニット３１と、油圧バルブユニット３１にタンク３２内の作動油を供給する油圧ポンプ３３と、油圧ポンプ３３と油圧バルブユニット３１とを接続する主油路３４と、油圧バルブユニット３１とタンク３２とを接続する戻油路３５と、油圧バルブユニット３１に接続された複数の油圧アクチュエータ４１〜４６とから構成されている。
【００１６】
油圧ポンプ３３はＰＴＯ（パワーテイクオフ）装置を介して汎用トラック１０のエンジン１４に接続されており、エンジン１４により駆動される。
【００１７】
油圧バルブユニット３１に接続された油圧アクチュエータ４１〜４６は、ブーム伸縮用油圧シリンダ４１、ウインチ用油圧モータ４２、ブーム起伏用油圧シリンダ４３、旋回用油圧モータ４４、およびアウトリガ用油圧シリンダ４５、４６である。ブーム伸縮用油圧シリンダ４１の動作によりブーム２３が伸縮され、ウインチ用油圧モータ４２の動作によりフック２４が巻上巻下作動され、ブーム起伏用油圧シリンダ４３の動作によりブーム２３が起伏され、旋回用油圧モータ４４の動作によりポスト２２が旋回され、アウトリガ用油圧シリンダ４５、４６の動作によりアウトリガ装置２５、２６が伸縮する。
【００１８】
油圧バルブユニット３１には、伸縮用切換制御弁５１、ウインチ用切換制御弁５２、起伏用切換制御弁５３、旋回用切換制御弁５４、およびアウトリガ用切換制御弁５５、５６が設けられている。伸縮用切換制御弁５１にブーム伸縮用油圧シリンダ４１が、ウインチ用切換制御弁５２にウインチ用油圧モータ４２が、起伏用切換制御弁５３にブーム起伏用油圧シリンダ４３が、旋回用切換制御弁５４に旋回用油圧モータ４４が、アウトリガ用切換制御弁５５、５６にアウトリガ用油圧シリンダ４５、４６が、それぞれ接続されており、油圧ポンプ３３から供給される作動油の方向および流量を制御して、これら油圧アクチュエータ４１〜４６の動作を切り換え制御できるようになっている。
【００１９】
切換制御弁５１〜５６には、それぞれレバーが取り付けられており、そのレバーを手動操作することにより、油圧ポンプ３３から供給される作動油の方向および流量を切り換えることができるようになっている。切換制御弁５１〜５６に取り付けられたレバーは、レバー群２７としてベース２１の左右両側に設けられている（図２参照）。そのため、レバー群２７を使用者Ｕが操作することにより、作業装置を動作させることができる。
【００２０】
また、切換制御弁５１〜５６には、それぞれパイロットシリンダ６１〜６６が取り付けられており、そのパイロットシリンダ６１〜６６の動作によっても、油圧ポンプ３３から供給される作動油の方向および流量を切り換えることができるようになっている。
【００２１】
各パイロットシリンダ６１〜６６は、複動形シリンダであり、右側油室への作動油の給排を行なう電磁弁と、左側油室への作動油の給排を行なう電磁弁がそれぞれ付設されている。これらの電磁弁は、制御装置２８に接続されている。制御装置２８はＣＰＵやメモリ等で構成されたコンピュータであり、レバー群２７の近くに設けられている（図２参照）。制御装置２８からの制御信号に基づいて電磁弁が動作することで、パイロットシリンダ６１〜６６を駆動し、切換制御弁５１〜５６を切り換えるようになっている。このようにして、制御装置２８は作業装置の動作を制御する。また、制御装置２８には、各種のスイッチやレバー等の操作部と、７セグメントディスプレイや液晶パネル等の表示部が搭載されている。
【００２２】
ウインチ用油圧モータ４２に接続された２本の油圧管路のうち、ウインチ用油圧モータ４２を巻き上げ側に回転させる場合に作動油を供給する方の油圧管路には、圧力センサ３６が設けられている。この圧力センサ３６によりウインチ用油圧モータ４２のウインチ巻き上げ時の駆動圧力を測定することができる。ここで、「駆動圧力」とは、油圧アクチュエータの入力ポートに供給される作動油の圧力を意味する。
【００２３】
圧力センサ３６としては、例えば圧電素子など、その検出結果を電気信号として出力できるものが用いられる。圧力センサ３６の出力は、制御装置２８に入力されている。
【００２４】
制御装置２８は、エンジン１４のＥＣＵ（エンジンコントロールユニット）にも接続されており、少なくともエンジン１４の回転数を制御できるよう構成されている。
【００２５】
なお、ウインチを駆動するウインチ用油圧モータ４２が特許請求の範囲に記載の「油圧アクチュエータ」に相当する。また、油圧ポンプ３３から供給される作動油の方向および流量を制御してウインチ用油圧モータ４２に導くウインチ用切換制御弁５２が特許請求の範囲に記載の「流量制御弁」に相当する。
【００２６】
（遠隔操作端末）
制御装置２８は、遠隔操作端末２９と双方向に無線通信または有線通信可能となっている。遠隔操作端末２９には、いわゆるラジコン送信機をはじめとする無線操作端末のほか、有線操作端末が含まれる。遠隔操作端末２９には、各種のスイッチやアクセルトリガ等からなる操作部と、液晶パネル等の表示部２９ａとが搭載されている。
【００２７】
遠隔操作端末２９は、限られた操作部の中で操作性を向上するため、複数の操作モードを有しており、各操作モードにより操作部の機能と表示部２９ａの表示が切り換えられる。例えば、クレーン装置（ポスト２２、ブーム２３、フック２４）を操作するためのクレーン操作モードや、アウトリガ装置２５、２６を操作するためのアウトリガ操作モード等を有している。操作モードの切り換えは、例えば特定のスイッチを押下することにより行われる。
【００２８】
（荷重測定装置）
本実施形態に係る荷重測定装置は、主に、前記遠隔操作端末２９と、制御装置２８と、圧力センサ３６とからなる。これらが協働することで、吊り荷の重さ（荷重）を測定することができる。
【００２９】
（荷重測定方法）
つぎに、図１に基づき、荷重測定装置を用いた荷重測定方法を説明する。
まず、作業員はフック２４に測定対象の吊り荷を掛ける。
つぎに、作業員は遠隔操作端末２９の特定のスイッチを押下する。そうすると、遠隔操作端末２９は荷重測定モードに切り換わり、操作部の機能と表示部２９ａの表示が切り換えられる。そして、遠隔操作端末２９は制御装置２８に荷重測定準備信号を送信する（ステップＳＡ１）。制御装置２８は遠隔操作端末２９から荷重測定準備信号を受信すると、エンジン１４のＥＣＵに制御信号を送信し、エンジン１４の回転数を所定回転数とする（ステップＳＢ１）。
【００３０】
ここで、エンジン１４の所定回転数は、予め定められた値であり制御装置２８に記憶されている。所定回転数は任意に設定すればよく、例えば、エンジン１４の最大回転数の１／２として設定される。エンジン１４の回転数を所定回転数とすることにより、油圧ポンプ３３の回転数も所定回転数とすることができる。
【００３１】
つぎに、作業員は遠隔操作端末２９のアクセルトリガを引く。そうすると、遠隔操作端末２９は制御装置２８に荷重測定開始信号を送信する（ステップＳＡ２）。制御装置２８は遠隔操作端末２９から荷重測定開始信号を受信すると、ウインチ用油圧モータ４２が巻き上げ側に回転するようにウインチ用切換制御弁５２を切り換えるとともに、そのスプール開度を所定開度とする（ステップＳＢ２）。
【００３２】
ここで、ウインチ用切換制御弁５２のスプールの所定開度は、予め定められた値であり制御装置２８に記憶されている。所定開度は任意に設定すればよく、例えば、全開に設定される。以上のように、エンジン１４の回転数（油圧ポンプ３３の回転数）を所定回転数とし、ウインチ用切換制御弁５２のスプール開度を所定開度とすることで、ウインチ用油圧モータ４２に供給される作動油の流量を所定流量とする。なお、荷重測定準備信号および荷重測定開始信号が、特許請求の範囲に記載の「荷重測定指示」に相当する。
【００３３】
ウインチ用切換制御弁５２を切り換えると、ウインチ用油圧モータ４２が巻き上げ側に回転し、吊り荷が吊り揚げられる。吊り荷が地面から離れた（地切り）状態になった場合に、制御装置２８は圧力センサ３６の出力を読み込み、荷重値に変換する（ステップＳＢ３）。
【００３４】
ここで、圧力センサ３６の出力から荷重値への変換には、圧力センサ３６のゼロ点と、ゲインを用いて行われる。圧力センサ３６のゼロ点とは、無負荷状態、すなわちフック２４に吊り荷を掛けない状態でウインチ巻き上げ操作を行った場合の圧力センサ３６の出力である。圧力センサ３６が圧電素子の場合は、無負荷状態の場合の圧電素子の出力電圧である。また、圧力センサ３６のゲインとは、荷重と圧力センサ３６の出力との比である。圧力センサ３６が圧電素子の場合には、荷重と圧電素子の出力電圧との比である。これら圧力センサ３６のゼロ点およびゲインは、後述の初期調整により求められ、制御装置２８に記憶されている。圧力センサ３６の出力からゼロ点を減算し、ゲインを乗算することで、荷重値を得ることができる。
【００３５】
制御装置２８は求めた荷重値を遠隔操作端末２９に送信する（ステップＳＢ４）。遠隔操作端末２９は、制御装置２８から受信した荷重値を表示部２９ａに表示する（ステップＳＡ３）。作業員は遠隔操作端末２９の表示部２９ａを見ることで、荷重を確認できる。
【００３６】
遠隔操作端末２９の表示部２９ａへの荷重値の表示は、作業員がアクセルトリガを引いている間とすればよい。この場合には、作業員がアクセルトリガを戻したときに、遠隔操作端末２９を自動的にクレーン操作モードに切り換え、荷重値の表示を消せばよい。そうすれば、作業員は引き続き通常のクレーン作業を行うことができる。
【００３７】
また、作業員がアクセルトリガを戻した場合でも、表示部２９ａへの荷重値の表示を残してもよい。そうすれば、吊り荷の状態を観察しながらウインチ巻き上げ操作を行い、操作を停止した後に荷重を確認できるので安全である。この場合、遠隔操作端末２９の特定のスイッチを押下することにより、クレーン操作モード等に切り換えられる。
【００３８】
また、作業員が遠隔操作端末２９のアクセルトリガを引いている間、ウインチ用油圧モータ４２を駆動して吊り荷を吊り揚げ続けてもよいし、吊り荷が地切りしたことを検知してウインチ用油圧モータ４２の駆動を自動的に停止させてもよい。
【００３９】
吊り荷を吊り揚げていくと、フック２４にかかる負荷は、最初はフック重量のみであり、吊り荷の一部が地面から離れると徐々に負荷が増し、完全に地切りした後は負荷が一定となる。これに伴い、圧力センサ３６の出力（ウインチ巻き上げ時の駆動圧力）も、最初は一定（フックの荷重）であり、徐々に増加した後に、再び一定（フックおよび吊り荷の荷重）となる。吊り荷が地切りした後は圧力センサ３６の出力の時間変化率が小さくなる。そこで、圧力センサ３６の出力の時間変化率を求め、時間変化率が閾値以下となった場合に吊り荷が地切りしたと判断すればよい。
【００４０】
制御装置２８は、以上のような方法で吊り荷の地切りを判断し、吊り荷が地切りした場合にウインチ用切換制御弁５２を切り換えてウインチ用油圧モータ４２の動作を停止させる。このような構成とすれば、荷重測定が終了したときに自動でウインチが停止するので、吊り荷を必要以上に吊り揚げることがなく、安全である。
【００４１】
以上のように、本実施形態の荷重測定装置によれば、制御装置２８がウインチ用油圧モータ４２に供給される作動油の流量を自動的に所定流量とするので、従来のようなゼロ点調整や流量調整の操作が不要であり、利便性が高い。
【００４２】
また、ウインチ用切換制御弁５２をレバーにより操作する必要がなく、遠隔操作端末２９の操作により荷重測定ができるので操作が簡単である。遠隔操作端末２９に荷重値が表示されるので、作業員が荷重値を確認しやすい。しかも、作業員は遠隔操作端末２９を持って任意の場所で操作できるので、作業の安全を確認しやすい。
【００４３】
（初期調整方法）
つぎに、荷重測定装置の初期調整方法を説明する。
初期調整により圧力センサ３６のゼロ点およびゲインを定めることができる。なお、この初期調整は基本的に最初に一度行えばよく、荷重測定のたびに行う必要はない。
【００４４】
初期調整においても、基本的な流れは荷重測定と同じである。
すなわち、遠隔操作端末２９の操作により、制御装置２８はエンジン１４の回転数を所定回転数とするとともに、ウインチ用切換制御弁５２のスプール開度を所定開度とする。この際、エンジン１４の所定回転数と、ウインチ用切換制御弁５２のスプールの所定開度は、荷重測定の場合と同一とする。すなわち、初期調整と荷重測定とで、ウインチ用油圧モータ４２に供給される作動油の流量を同一とするのである。
【００４５】
この状態で、吊り荷の重量を変更しながら少なくとも２回吊り荷の吊り揚げ操作を行い、それぞれの場合における圧力センサ３６の出力を取得する。例えば、１回目は無負荷状態とし、２回目は既知の重量の吊り荷を吊り揚げて、それぞれの場合における圧力センサ３６の出力を取得する。そうすれば、２回分の吊り荷の重量と圧力センサ３６の出力との関係から、圧力センサ３６のゼロ点およびゲインを定めることができる。
【００４６】
〔第２実施形態〕
本発明の第２実施形態に係る荷重測定装置は、ウインチ用油圧モータ４２として可変容量形の油圧モータを用いた形態である。ウインチ用油圧モータ４２として可変容量形の油圧モータを用いることで、ウインチ用油圧モータ４２の容量を多くした高速低トルクモードと、ウインチ用油圧モータ４２の容量を少なくした低速高トルクモードの２つのモードとを有するウインチを実現できる。
【００４７】
これら２つのモードではウインチ用油圧モータ４２の駆動圧力に対する出力トルクが異なるため、それぞれのモードに対して圧力センサ３６のゼロ点およびゲインを定めておく必要がある。これは、上記第１実施形態における初期調整を２つのモードのそれぞれで行えばよい。制御装置２８には、それぞれのモードごとに圧力センサ３６のゼロ点およびゲインが記憶される。
【００４８】
本実施形態の荷重測定は第１実施形態の荷重測定と基本的に同一である。ただし、圧力センサ３６の出力を荷重値に変換するステップＳＢ３においては、ウインチのモード、すなわちウインチ用油圧モータ４２の容量に対応した圧力センサ３６のゼロ点およびゲインを用いて、圧力センサ３６の出力を荷重値に変換する。このようにすることで、ウインチ用油圧モータ４２の設定によらず適切な荷重値を求めることができる。
【００４９】
上記のようにウインチのモードごとに圧力センサ３６のゼロ点およびゲインを定める方法に代えて、荷重測定においてウインチのモードを特定のモードに切り換える方法としてもよい。例えば、荷重測定においては、常にウインチを低速高トルクモードにすればよい。荷重測定においては、ウインチの動作が低速でもよく、むしろ低速のほうが安全である。
【００５０】
この場合、圧力センサ３６のゼロ点およびゲインは、低速高トルクモードの場合のみ定めておけばよい。また、荷重測定においては、ステップＳＢ１において、エンジン１４の回転数を所定回転数とするとともに、ウインチを低速高トルクモードに切り換える、すなわちウインチ用油圧モータ４２の容量を所定容量とすればよい。このように、ウインチ用油圧モータ４２の容量を自動的に所定容量とすることで、可変容量形の油圧モータであっても適切な荷重値を求めることができる。
【００５１】
なお、上記ではウインチが２つのモードを有する場合を説明したが、３つ以上のモードを有する場合、すなわちウインチ用油圧モータ４２の容量を３つ以上の段階で制御する場合も同様である。さらに、ウインチ用油圧モータ４２の容量を無断階で制御する場合も同様である。
【００５２】
〔その他の実施形態〕
上記実施形態では、ウインチ用油圧モータ４２に供給される作動油の流量を所定流量とするために、エンジン１４の回転数を所定回転数とするとともに、ウインチ用切換制御弁５２のスプール開度を所定開度とした。しかし、油圧回路の構成が変われば、他の制御を採用してもよい。例えば、油圧ポンプ３３として可変吐出量形の油圧ポンプを用いる場合には、油圧ポンプ３３の吐出容量を所定容量とする必要がある。
【００５３】
また、上記実施形態では遠隔操作端末２９を用いたが、これを用いない構成としてもよい。この場合、遠隔操作端末２９の操作部に代えて制御装置２８の操作部を用い、遠隔操作端末２９の表示部２９ａに代えて制御装置２８の表示部を用いればよい。
【００５４】
さらに、上記実施形態では荷重測定装置が設けられる作業機として積載形トラッククレーンＣＲを説明したが、他の作業機でもよい。作業機としては、クレーンのほか、荷を揚げる揚重機を備える作業機であればよい。クレーンとしては移動式クレーンでもよいし、固定式クレーンでもよい。移動式クレーンとしては、オールテレーンクレーン、ラフテレーンクレーン、トラッククレーン、積載形トラッククレーン等が挙げられる。揚重機としてはクレーンのウインチに限られず、荷を揚げる装置であればよい。
【符号の説明】
【００５５】
ＣＲ  積載形トラッククレーン
１０  汎用トラック
２０  小型クレーン
２８  制御装置
２９  遠隔操作端末
３０  油圧回路
３１  油圧バルブユニット
３３  油圧ポンプ
３６  圧力センサ
４１〜４６  油圧アクチュエータ
５１〜５６  切換制御弁
６１〜６６  パイロットシリンダ
【図１】
0006446909.tif 000002
【図２】
0006446909.tif 000003
【図３】
0006446909.tif 000004